(57)【要約】      （修正有）【課題】手先の滑り止めを頻繁に必要とする場合でも、蓋の開閉のような煩わしさをなくすことができる携帯型滑り止めを提供する。【解決手段】扁平な容器と、容器の開放端を塞ぐ蓋１０３と、容器と蓋１０３との間に形成される扁平な空間に装填された滑り止め材１１０とを有してなる携帯型滑り止めであって、容器は、所定の深さの第１の窪み３０１と、第１の窪みよりも浅い第２の窪み３０２を有していて、第１の窪み３０１と第２の窪み３０２との間に段部３０３を有し、蓋１０３は、容器の第２の窪み３０２に嵌まり段部３０３で規制されて容器に固着され、容器または蓋１０３には滑り止め材１１０に手指を接触させることを可能にする窓孔１０２が形成されている。【選択図】図３
0003226965.tif 000002
【実用新案登録請求の範囲】
【請求項１】
扁平な容器と、
前記容器の開放端を塞ぐ蓋と、
前記容器と前記蓋との間に形成される扁平な空間に装填された滑り止め材とを有してなる携帯型滑り止めであって、
前記容器は、所定の深さの第１の窪みと、前記第１の窪みよりも浅い第２の窪みを有していて、前記第１の窪みと前記第２の窪みとの間に段部を有し、
前記蓋は、前記容器の前記第２の窪みに嵌まり前記段部で規制されて前記容器に固着され、
前記容器または前記蓋には前記滑り止め材に手指を接触させることを可能にする窓孔が形成されている携帯型滑り止め。
【請求項２】
前記滑り止め材は、松脂を主成分とする固形である請求項１記載の携帯型滑り止め。
【請求項３】
前記滑り止め材は、松脂を主成分とする粉末であって、粉末が浸透可能な包装材で覆われている請求項１記載の携帯型滑り止め。
【請求項４】
前記容器は半径方向外側に向かう突出部を有し、前記突出部は孔を有する請求項１，２または３記載の携帯型滑り止め。
【請求項５】
前記容器は四角形のカード形であり、前記容器の長手方向の長さは紙幣の短手方向の長さに等しい請求項１乃至４のいずれかに記載の携帯型滑り止め。
【考案の詳細な説明】
【技術分野】
【０００１】
本考案は、携帯型滑り止めに関する。
【背景技術】
【０００２】
日常生活のあらゆる場面で、複数枚の紙、例えば紙幣を一枚ずつめくる場合に、指が滑ってしまい、紙をめくりにくいことがある。特に、季節や天候、室内の湿度などの環境条件によって、指先が乾燥していると指先が滑りやすく、紙をめくることができないことがある。新聞や図書類をめくる場合も同じことがいえる。このような場合、習慣的に指先をなめることによって滑り止めをしているが、衛生上望ましくない。
【０００３】
このような問題を解消するために、特許文献１には、札入れ及び名刺入れに、滑り止め材を装填した容器を固定して使用する滑り止め器具が開示されている。
【先行技術文献】
【特許文献】
【０００４】
【特許文献１】実用新案登録第３１３３３７７号
【考案の概要】
【考案が解決しようとする課題】
【０００５】
特許文献１記載の滑り止め剤は、札入れ若しくは名刺入れに固定して使用することを前提としており、滑り止め材に指先を接触させることを可能にする窓孔を、蓋によって開閉するようになっている。指先を滑り止めする必要があるのは、札入れや名刺入れに紙幣や名刺を出し入れする場合に限らない。新聞、雑誌、その他の図書類を見るときは頻繁に指先の滑り止めをする必要がある。このような場合、開閉蓋付きの特許文献１記載の滑り止め剤は、蓋の開閉が煩わしくなる。
【０００６】
本考案は、手先の滑り止めを頻繁に必要とする場合でも、蓋の開閉のような煩わしさをなくすことができる携帯型滑り止めを提供することを目的とする。
【課題を解決するための手段】
【０００７】
本考案に係る携帯型滑り止めは、
扁平な容器と、
前記容器の開放端を塞ぐ蓋と、
前記容器と前記蓋との間に形成される扁平な空間に装填された滑り止め剤とを有してなる携帯型滑り止めであって、
前記容器は、所定の深さの第１の窪みと、前記第１の窪みよりも浅い第２の窪みを有していて、前記第１の窪みと前記第２の窪みとの間に段部を有し、
前記蓋は、前記容器の前記第２の窪みに嵌まり前記段部で規制されて前記容器に固着され、
前記容器または前記蓋には前記滑り止め剤に手指を接触させることを可能にする窓孔が形成されていることを最も主要な特徴とする。
【考案の効果】
【０００８】
本考案によれば、手先の滑り止めを頻繁に必要とする場合でも、煩わしさを感じることなく、いつでも気軽に指先の滑り止めを行うことができる。
【図面の簡単な説明】
【０００９】
【図１】本考案にかかる携帯型滑り止めの実施の形態を示す正面図である。
【図２】上記実施の形態の背面図である。
【図３】上記実施の形態の中央部縦断面図である。
【図４】本考案に係る携帯型滑り止めの別の実施の形態を示す正面図である。
【図５】本考案に係る携帯型滑り止めのさらに別の実施の形態を分解して示す中央部縦断面図である。
【図６】本考案に係る携帯型滑り止めのさらに別の実施の形態を示す正面図である。
【図７】本考案に係る携帯型滑り止めのさらに別の実施の形態を示す正面図である。
【考案を実施するための形態】
【００１０】
以下、本考案にかかる携帯型滑り止めの実施の形態について、図面を参照しながら説明する。
【００１１】
図１乃至図３において、携帯型滑り止め１００は、容器１０１、蓋１０３および滑り止め材１１０を有する。容器１０１は、全体的に円形であって、円形の一部から半径方向外側に向かう突出部１０４を有している。容器１０１は金属あるいは樹脂による一体成形で制作され、前記円形の部分に、２段階にわたって第１の窪み３０１と第２の窪み３０２が形成されている。第１の窪み３０１と第２の窪み３０２は同心円状の窪みで、第１の窪み３０１の内径よりも第２の窪み３０２よりも大きい。したがって、第１の窪み３０１と第２の窪み３０２との間には、双方の内径差に相当する幅の円形の段部３０３が形成されている。
【００１２】
第１の窪み３０１は第２の窪み３０２よりも深くなっていて、第１の窪み３０１に滑り止め材１１０が装填されている。第１の窪み３０１の深さは滑り止め材１１０の厚さに対応している。第１の窪み３０１底面には円形の窓孔１０２が形成されている。窓孔１０２は、この窓孔１０２から滑り止め材１１０に手指の指先を接触させることを可能にしている。
【００１３】
第２の窪み３０２には円形の蓋１０３が嵌っている。蓋１０３の外周縁部は前記段部３０３に当たって第２の窪み３０２の深さ方向への蓋１０３の位置が規制されている。蓋１０３の半径方向への位置は第２の窪み３０２の周壁で規制されている。第２の窪み３０２の深さは蓋１０３の厚さに対応していて、蓋１０３の表面と容器１０１の蓋１０３の側端面がほぼ同一面上にある。
【００１４】
滑り止め材１１０は、松脂を主成分とする固形又は粉末状のものである。図１乃至図３に示す実施例の場合、滑り止め材１１０は固形であることが望ましい。滑り止め材１１０の主成分は、松脂に限らず、滑り止めとして利用できるものであればよい。
【００１５】
蓋１０３は、第２の窪み３０２に嵌まることにより、第１の窪み３０１に装填される滑り止め材１１０の崩れ、落下等を防ぐ。蓋１０３にも滑り止め材１１０に手指の指先を接触させる窓孔を設けてもよいが、固形の滑り止め材１１０は脆いので、窓孔１０２を通して手指の指先を接触させたとき、滑り止め材１１０にかかる応力を受け止めることができるように、窓孔のない蓋１０３とすることが望ましい。蓋１０３は、透明の部材で構成してもよい。滑り止め材１１０を詰め替えるため、蓋１０３は開閉可能にしてもよいし、容器１０１に蓋１０３を固着して、携帯型滑り止め１００を使い捨てとしてもよい。
【００１６】
容器１０１は、外周部から半径方向外側に向かう突出部１０４を有する。突出部１０４には紐等通し孔１０５が設けられている。紐等通し部材１０４を有する突出部１０４には、ストラップなどを結び付けることができる。
【００１７】
ここまで説明してきた携帯型滑り止めの実施例によれば、滑り止め材１１０を扁平な容器１０１に携帯型滑り止め１００を装填し、蓋１０３で容器１０１を塞いでいるため、嵩張ることなくどこにでも持ち運ぶことができる携帯型滑り止めを得ることができる。滑り止め材１１０は流出するものではないので、携帯型滑り止めを持ち運ぶときの姿勢は任意であり、手軽に持ち運び、いつでも必要な場合に使用することができる。
【００１８】
図４は、携帯型滑り止めをカード型とした実施形態を示す。図４において、カード型滑り止め４００は、扁平な容器４０１と、容器４０１内に装填された滑り止め材と、容器４０１の開放端側を塞ぐカード４０４を有する。カード４０４は前述した実施形態における蓋と同様の機能を果たしている。容器４０１はカード４００とは反対側に窓孔４０２を有し、窓孔４０２から、容器４０１内の滑り止め材に指先を接触させることを可能にしている。
【００１９】
カード４００の形状は任意であるが、図４に示す例では、長方形になっていて、長手方向の長さが紙幣の短手方向の長さと等しい。こうすることにより、財布に収納しやすくなり、紙幣をめくるときに迅速に対応することができる。
【００２０】
図５は、本考案に係る携帯型滑り止めのさらに別の実施の形態を示す。この実施の形態は、滑り止め材に特徴がある。携帯型滑り止めを構成する容器１０１、蓋１０３、窓孔１０２、第１の窪み３０１、第２の窪み３０２、段部３０３は、図１乃至図３に示す実施の形態のものと実質的に同じであるため、共通の符号を付し、詳細な説明を省略する。
【００２１】
図５において、符号７０３が滑り止め材を示している。滑り止め材７０３は、粉末松脂を主成分とする粉末状の素材である。粉末状の滑り止め材７０３は粉末が浸透可能な包装材７０２で覆われ、滑り止め材７０３と包装材７０２で滑り止めユニット７００を構成している。包装材７０２はスポンジあるいは不織布などからなり、粉末状の滑り止め材７０３を浸透させることができる。滑り止めユニット７００が容器１０１の第１の窪み３０１に装填され、容器１０１の開放端が蓋１０３で塞がれる。窓孔１０２には滑り止めユニット７００の包装材７０２が覗いている。
【００２２】
滑り止めユニット７００の包装材７０２には粉末状の滑り止め材７０３が浸透しているため、窓孔１０２から包装材７０２に指先を接触させると、包装材７０２の表面に染み出している滑り止め材７０３が指先に付着し、指先の滑り止め効果を得ることができる。図５に示す実施の形態によれば、粉末状の滑り止め材７０３を指先に付着させることができるため、固形の滑り止め材を使用したものよりも高い滑り止め効果を得ることができる。
【００２３】
図５に示す例では、袋状の包装材７０２を想定しているが、包装材７０２は単純なシート状のものでもよい。容器１０１にその窓孔１０２を塞ぐようにしてシート状の包装材７０２を固着すれば、容器１０１と、包装材７０２と、蓋１０３で規制される空間内に粉末状の滑り止め材７０３を装填できる。
【００２４】
図６は、携帯型滑り止めをハート型とした実施形態を示す。図６において、ハート型滑り止め５００は、前述の携帯型滑り止めと同様に、容器と、蓋と、滑り止め材を有してなる。本実施形態では、容器５０１の外観形状をハート形にしたものである。容器５０１は全体として扁平で、２段にわたり窪みを有し、深い方の窪みに滑り止め材が装填され、浅い方の窪みに蓋が嵌められている。
【００２５】
容器５０１は窓孔５０２を有し、窓孔５０２から指先を滑り止め材に接触させることができる。ハート型滑り止め５００の形状や大きさは任意である。本実施形態のように、携帯型滑り止めをハートの形にすることで、女性の感性に合わせることができる。
【００２６】
図７は、携帯型滑り止めを手型とした実施形態を示す。図７において、手型滑り止め６００は、容器と、蓋と、滑り止め材を有してなる滑り止めの前記容器の外観を人の手の形にしたもので、容器の形以外はこれまで説明してきた実施の形態の構成と同じであるから、説明を省略する。
【００２７】
１００          携帯型滑り止め
１０１          容器
１０２          窓孔
１０３          蓋
１０４          突出部
１０５          紐等通し孔
１１０          滑り止め材
３０１          第１の窪み
３０２          第２の窪み
３０３          段部
７００          滑り止めユニット
７０２          包装材
７０３          滑り止め材
【図１】
0003226965.tif 000003
【図２】
0003226965.tif 000004
【図３】
0003226965.tif 000005
【図４】
0003226965.tif 000006
【図５】
0003226965.tif 000007
【図６】
0003226965.tif 000008
【図７】
0003226965.tif 000009